(57)【特許請求の範囲】
【請求項１】
表示パネルと、
前記表示パネルの面光源として使用されるバックライトと、
を有し、
前記バックライトは、
前記面光源よりも狭い発光領域を有する光源と、
前記光源を搭載した配線基板と、
前記光源の光を端面から入射して表面から出射する導光板と、
前記配線基板を前記導光板の前記表面の端部に貼り付ける遮光粘着シートと、
前記導光板の前記表面に重ねられた光拡散シートと、
前記光拡散シートに形成された遮光膜と、
前記光拡散シートの上に重ねられたプリズムシートと、
を含み、
前記導光板の前記表面は、前記面光源としての有効領域と、前記光が入射する前記端面から前記有効領域までの入光領域と、を含み、
前記配線基板及び前記遮光粘着シートは、前記入光領域に位置する部分を有し、前記遮光粘着シートは、前記配線基板と前記入光領域との間に形成され、
前記光拡散シートは、前記有効領域から前記入光領域に向かって前記プリズムシートの端部から突出するように配置され、前記入光領域では少なくとも端部が前記遮光膜に重ねられていることを特徴とする表示装置。
【請求項２】
請求項１に記載された表示装置において、
前記遮光粘着シートの少なくとも一部は、前記配線基板と前記導光板の間に介在することを特徴とする表示装置。
【請求項３】
請求項２に記載された表示装置において、
前記遮光粘着シートは、前記配線基板との重複部を有し、前記重複部から前記有効領域の方向にはみ出すことを特徴とする表示装置。
【請求項４】
請求項３に記載された表示装置において、
前記導光板の上に配置された前記遮光粘着シートの上に前記光拡散シートが重なることを特徴とする表示装置。
【発明の詳細な説明】
【技術分野】
【０００１】
本発明は、表示装置に関する。
【背景技術】
【０００２】
サイドライト方式のバックライトを備える表示装置では、導光板の端面に入射した光が、導光板の内部を進行して、表面から出射するようになっている（特許文献１）。バックライトの光源としてＬＥＤ（Light Emitting Diode）が一般に使用されている。ＬＥＤは、フレキシブル配線基板に搭載されて導光板の端面に対向するように配置される。また、導光板の表面には光学シートが配置される。
【先行技術文献】
【特許文献】
【０００３】
【特許文献１】特開２００９−２７６５３１号公報
【発明の概要】
【発明が解決しようとする課題】
【０００４】
フレキシブル配線基板を、遮光両面テープによって導光板の表面の端部に取り付ける場合、導光板の表面側で、遮光両面テープと光学シートとの間に導光板が露出する隙間が形成される。この隙間から出た光は、光学シートを通らずに、表示パネルの端面からその内部に進入する。そのため、表示パネルを斜めから見ると、ＬＥＤの光が直接見えてしまい、表示品位を低下させるという問題があった。
【０００５】
本発明は、導光板からの漏れ光を遮断して、品位低下を防止することを目的とする。
【課題を解決するための手段】
【０００６】
（１）本発明に係る表示装置は、表示パネルと、前記表示パネルの面光源として使用されるバックライトと、を有し、前記バックライトは、前記面光源よりも狭い発光領域を有する光源と、前記光源を搭載した配線基板と、前記光源の光を端面から入射して表面から出射する導光板と、遮光層と粘着層を含み、前記粘着層が前記配線基板を前記導光板の前記表面の端部に貼り付ける遮光粘着シートと、前記導光板の前記表面に重ねられた光拡散シートと、前記光拡散シートに形成された遮光膜と、前記光拡散シートの上に重ねられたプリズムシートと、を含み、前記導光板の前記表面は、前記面光源としての有効領域と、前記光が入射する前記端面から前記有効領域までの入光領域と、を含み、前記配線基板及び前記遮光粘着シートは、前記入光領域に位置する部分を有し、前記遮光粘着シートは、前記配線基板と前記入光領域との間に形成され、前記光拡散シートは、前記有効領域から前記入光領域に向かって前記プリズムシートの端部から突出するように配置され、前記入光領域では少なくとも端部が前記遮光膜に重ねられていることを特徴とする。
【０００７】
（２）（１）に記載された表示装置において、前記遮光粘着シートの少なくとも一部は、前記配線基板と前記導光板の間に介在することを特徴としてもよい。
【０００８】
（３）（１）に記載された表示装置において、前記遮光粘着シートは、前記配線基板の前記導光板とは反対を向く面上から前記導光板の前記表面上にわたって粘着することを特徴としてもよい。
【０００９】
（４）（２）又は（３）に記載された表示装置において、前記遮光粘着シートは、前記配線基板との重複部を有し、前記重複部から前記有効領域の方向にはみ出し、前記配線基板の外側で前記光拡散シートに重なることを特徴としてもよい。
【００１０】
（５）（４）に記載された表示装置において、前記導光板の上に配置された前記光拡散シートの上に前記遮光粘着シートが重なることを特徴としてもよい。
【００１１】
（６）（４）に記載された表示装置において、前記導光板の上に配置された前記遮光粘着シートの上に前記光拡散シートが重なることを特徴としてもよい。
【００１２】
（７）（４）から（６）のいずれか１項に記載された表示装置において、前記光拡散シートは、前記遮光粘着シートとの重複を避けた非重複部を含み、前記重複部及び前記非重複部の境目をまたぐように遮光膜が形成されていることを特徴としてもよい。
【００１３】
（８）（２）に記載された表示装置において、前記光拡散シートは、前記配線基板の前記導光板とは反対を向く面上に至るように配置され、前記配線基板を介して前記遮光粘着シートに重なることを特徴としてもよい。
【図面の簡単な説明】
【００１４】
【図１】本発明を適用した実施形態に係る表示装置を示す断面図である。
【図２】本発明の実施形態に係る表示装置の特徴を示す断面図である。
【図３】参考例１に係る表示装置を示す断面図である。
【図４】参考例２に係る表示装置を示す断面図である。
【図５】参考例３に係る表示装置を示す断面図である。
【発明を実施するための形態】
【００１５】
以下、本発明の実施の形態について、図面を参照して説明する。
【００１６】
図１は、本発明を適用した実施形態に係る表示装置を示す断面図である。表示装置は、表示パネル１０を有する。表示パネル１０は、光の通過及び遮断を制御して画像を表示する光シャッター方式のものである。図１に示す表示パネル１０は、液晶表示パネルであって、ガラス等からなる一対の基板１２，１４とその間に挟まれた液晶（図示せず）を含み、一対の基板１２，１４の外側にそれぞれ偏光板１８を有する。
【００１７】
一方（図１で下側）の基板１２は、他方（図１で上側）の基板１４からはみ出している。一方の基板１２の他方の基板１４からはみ出した部分には、他方の基板１４に対向する側の面に、液晶を駆動するためのドライバ回路を内蔵する集積回路チップ２０が搭載されている。また、集積回路チップ２０が搭載される部分には、フレキシブル配線基板２２が取り付けられている。
【００１８】
表示装置は、表示パネル１０の面光源として使用されるバックライト２４を有する。バックライト２４は、光源２６を有する。光源２６は、ＬＥＤ（Light Emitting Diode）などの点光源である。点光源は、面光源に比べて発光領域が狭い。光源２６は、白色光を発するようになっている。
【００１９】
光源２６は、ＦＰＣ（Flexible Printed Circuit）などの配線基板２８に搭載されており、配線基板２８の図示しない配線パターンと電気的に接続されている。配線基板２８は、光源２６を下側（表示パネル１０とは反対側）に向けて配置されている。配線基板２８は、光源２６と重複する部分と、光源２６の搭載領域の外側の部分と、を含む。配線基板２８は、表示パネル１０の少なくとも端部と重なるように配置されている。また、配線基板２８は、集積回路チップ２０と重なるように配置されている。配線基板２８は、遮光性を有しておらず、光を透過するが透明ではない。
【００２０】
バックライト２４は、導光板３０を含む。導光板３０は、光源２６（点光源）の光を面光源に変換して表示パネル１０に照射するためのものである。導光板３０の端面に、光源２６から光が入射する。光源２６からの光が入射するように、導光板３０の端部が光源２６の隣に配置されている。光源２６の上に配線基板２８が位置し、配線基板２８の端部が導光板３０と重なるようになっている。光源２６と導光板３０は接触していてもよいし、両者間に隙間があってもよい。導光板３０の表面３２から、光が面状に出射する。導光板３０の面発光する表面３２は、表示パネル１０と対向する。導光板３０の表面３２は、面光源としての有効領域３４と、光が入射する端面から有効領域３４までの入光領域３６と、を含む。
【００２１】
バックライト２４は、導光板３０の表面３２に重ねられた光拡散シート３８を含む。光拡散シート３８は、導光板３０の上（表示パネル１０に近い側）に配置されている。光拡散シート３８は、導光板３０の有効領域３４から入光領域３６にわたって配置されている。光拡散シート３８は弱い光拡散作用を持つので、これを光が透過することで光分布への影響が弱められる。光拡散シート３８の上（表示パネル１０に近い側）には、複数のプリズムシート４０が配置されている。プリズムシート４０を光が透過することで、光を正面に集光させ、正面輝度を向上させることができる。光拡散シート３８及びプリズムシート４０を併せて光学シートとよばれる。また、導光板３０の下（表示パネル１０とは反対側）には反射シート４２が配置されている。
【００２２】
表示装置は、内フレーム４４を有し、内フレーム４４の内側にバックライト２４が配置されている。内フレーム４４は、樹脂成形品であってモールドともよばれる。内フレーム４４は、表示パネル１０を支持するようになっている。表示パネル１０は、両面テープ４６で内フレーム４４に貼り付けられている。図１に示す例では、両面テープ４６の左側の端部の下面が内フレーム４４に粘着し、両面テープ４６の右側の端部の上面が表示パネル１０の偏光板１８に粘着している。両面テープ４６は遮光性を有する。両面テープ４６は、光源２６を搭載した配線基板２８を覆うとともに配線基板２８からはみ出している。したがって、両面テープ４６によって、光源２６から配線基板２８を透過する光及び配線基板２８の周囲から漏れ出る光が遮断される。なお、両面テープ４６は、配線基板２８及びプリズムシート４０にも粘着している。
【００２３】
内フレーム４４は、導光板３０及び光源２６を囲んで保持する。光源２６が搭載された配線基板２８は、両面テープ４８で内フレーム４４に貼り付けられている。詳しくは、配線基板２８は、光源２６の搭載領域から相互に反対方向に延びており、一方の端部が内フレーム４４と重なって貼り付けられている。両面テープ４８は、配線基板２８と内フレーム４４の間に介在する。両面テープ４８は遮光性を有する。内フレーム４４、バックライト２４及び表示パネル１０は、外フレーム５０に収容されている。
【００２４】
バックライト２４は、遮光粘着シート５２を含む。遮光粘着シート５２は、図示しない遮光層と粘着層を含む。遮光層が黒色であれば光を吸収するので光の反射を減らすことができる。粘着層は、遮光層の両面に形成される。粘着層が絶縁体であれば、遮光層が導電体であってもよい。また両面テープ４８と遮光粘着シート５２は一体化されたものであってもよい。
【００２５】
遮光粘着シート５２は、配線基板２８を導光板３０の表面３２の端部に貼り付けている。配線基板２８及び遮光粘着シート５２は、導光板３０の入光領域３６に位置する部分を有する。遮光粘着シート５２の少なくとも一部は、配線基板２８と導光板３０の間に介在する。遮光粘着シート５２は、配線基板２８との重複部を有し、重複部から有効領域３４の方向にはみ出している。遮光粘着シート５２は、導光板３０の入光領域３６では、配線基板２８の外側で光拡散シート３８に重なっている。光拡散シート３８は、入光領域３６では少なくとも端部が遮光粘着シート５２に重ねられている。遮光粘着シート５２よりも有効領域３４に近い側で、入光領域３６は、光拡散シート３８によって隙間なく覆われている。導光板３０の上に配置された遮光粘着シート５２の上に光拡散シート３８が重なっている。
【００２６】
本実施形態によれば、光拡散シート３８と遮光粘着シート５２が重ねられて隙間がないため、導光板３０からの漏れ光を遮断して、品位低下を防止することができる。
【００２７】
図２は、本発明の実施形態に係る表示装置の特徴を示す断面図である。この例では、光拡散シート３８は、遮光粘着シート５２との重複部と、重複を避けた非重複部と、を含む。重複部及び非重複部の境目をまたぐように遮光膜５４が形成されている。遮光膜５４は印刷などによって形成することができる。遮光膜５４によって、重複部及び非重複部の境目からの光漏れを防ぐことができる。その他の構成は、上記実施形態で説明した内容が該当する。
【００２８】
図３は、参考例１に係る表示装置を示す断面図である。この例では、光拡散シート３８と遮光粘着シート５２の位置が図１の例とは逆になっている。すなわち、導光板３０の上に配置された光拡散シート３８の上に遮光粘着シート５２が重なる。その他の構成は、上記実施形態で説明した内容が該当する。
【００２９】
図４は、参考例２に係る表示装置を示す断面図である。この例では、光拡散シート１３８は、配線基板２８の導光板３０とは反対を向く面上に至るように配置される。詳しくは、光拡散シート１３８は、導光板３０の有効領域３４から入光領域３６に延び、配線基板２８の上に乗り上げている。
【００３０】
光拡散シート１３８は、配線基板２８を介して遮光粘着シート１５２に重なる。遮光粘着シート１５２は、配線基板２８と導光板３０に粘着するが、両者の重複位置にのみ配置され、光拡散シート１３８には直接的には粘着しない。
【００３１】
表示パネル１０を内フレーム４４に貼り付ける両面テープ１４６は、配線基板２８上で光拡散シート１３８の上に位置する。図１の例と比較して分かるように、図４の例では、光拡散シート１３８がスペーサとなって、配線基板２８の上でも両面テープ１４６が表示パネル１０に粘着する。両面テープ１４６の表示パネル１０とは反対の面は光拡散シート１３８に粘着する。すなわち、両面テープ１４６は、表示パネル１０と光拡散シート１３８を貼り合わせる。その他の構成は、上記実施形態で説明した内容が該当する。
【００３２】
図５は、参考例３に係る表示装置を示す断面図である。この例では、遮光粘着シート２５２は、配線基板２８の導光板３０とは反対を向く面上から導光板３０の表面３２上にわたって粘着している。また、遮光粘着シート２５２は、光源２６の上方も覆っているので、配線基板２８を透過した光を遮断する効果もある。
【００３３】
表示パネル１０を内フレーム４４に貼り付ける両面テープ２４６は、配線基板２８上では遮光粘着シート２５２の上に位置する。遮光粘着シート２５２がスペーサとなって、両面テープ２４６が表示パネル１０に粘着する。両面テープ２４６の表示パネル１０とは反対の面は、配線基板２８及び遮光粘着シート２５２に粘着する。その他の構成は、上記実施形態で説明した内容が該当する。なお、遮光粘着シート２５２と光拡散シート３８の重複は、いずれが上であってもよい。
【００３４】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３５】
１０  表示パネル、１２  基板、１４  基板、１８  偏光板、２０  集積回路チップ、２２  フレキシブル配線基板、２４  バックライト、２６  光源、２８  配線基板、３０  導光板、３２  表面、３４  有効領域、３６  入光領域、３８  光拡散シート、４０  プリズムシート、４２  反射シート、４４  内フレーム、４６  両面テープ、４８  両面テープ、５０  外フレーム、５２  遮光粘着シート、５４  遮光膜、１３８  光拡散シート、１４６  両面テープ、１５２  遮光粘着シート、２４６  両面テープ、２５２  遮光粘着シート。
【図１】
0005663434.tif 000002
【図２】
0005663434.tif 000003
【図３】
0005663434.tif 000004
【図４】
0005663434.tif 000005
【図５】
0005663434.tif 000006